(57)【要約】【課題】  構成の簡素化及び小型化を図ることができる。【解決手段】  表示面に画像が表示されるディスプレイを有する装置本体と、前記装置本体が支持されるスタンドとを備え、前記スタンドに、前記装置本体の表示面と反対側の面においてスライド自在に支持された被支持部と、ヒンジ軸によって前記被支持部に対して回動可能とされた連結部とが設けられた。これにより構成の簡素化及び小型化を図ることができる。【選択図】        図１４
2014035507.tif 000002
【特許請求の範囲】
【請求項１】
表示面に画像が表示されるディスプレイを有する装置本体と、
前記装置本体が支持されるスタンドとを備え、
前記スタンドに、前記装置本体の表示面と反対側の面においてスライド自在に支持された被支持部と、ヒンジ軸によって前記被支持部に対して回動可能とされた連結部とが設けられた
表示装置。
【請求項２】
前記被支持部又は前記連結部が回動範囲において前記連結部又は前記被支持部に対してロックされるロック部が設けられた
請求項１に記載の表示装置。
【請求項３】
前記被支持部又は前記連結部に複数の凹部が離隔して形成され、
前記ロック部が前記連結部又は前記被支持部に取り付けられ前記凹部に係合されてロックされるようにした
請求項２に記載の表示装置。
【請求項４】
前記ロック部として前記連結部又は前記被支持部を挿通されるロックピンが設けられた
請求項３に記載の表示装置。
【請求項５】
前記連結部と前記被支持部の間にフリクションを発生させる摩擦機構が設けられた
請求項１に記載の表示装置。
【請求項６】
前記スタンドの前記連結部に壁掛け用の被取付孔が形成された
請求項１に記載の表示装置。
【請求項７】
前記装置本体の前記反対側の面に前記被支持部をスライド自在に支持するレール部材が設けられ、
前記レール部材は前記装置本体に前記ディスプレイの厚み方向に直交する方向における一端部から他端部まで設けられた
請求項１に記載の表示装置。
【請求項８】
前記レール部材が屈曲された
請求項７に記載の表示装置。
【請求項９】
前記レール部材は、長手方向における一端部と他端部が直交する方向に延びるように設けられた
請求項８に記載の表示装置。
【発明の詳細な説明】
【技術分野】
【０００１】
本技術は表示装置についての技術分野に関する。詳しくは、スタンドに、装置本体にスライド自在に支持された被支持部とヒンジ軸によって被支持部に対して回動可能とされた連結部とを設けて、構成の簡素化及び小型化を図る技術分野に関する。
【背景技術】
【０００２】
表示装置には、例えば、テレビジョン受像器等の表示装置、パーソナルコンピューターや表示システム等に用いられるモニター、タブレット端末や携帯電話や電子書籍に代表される携帯端末装置等の各種のものがある。
【０００３】
これらの表示装置には、ディスプレイを有する装置本体を机などの載置面に載置するためのスタンドが設けられているものがある。
【０００４】
このような表示装置にはスタンドが壁掛け時において折り畳まれた状態にされるものがあり、その中には単数または複数のヒンジ軸を支点として回動されて折り畳まれるものがある。
【０００５】
ヒンジ軸が用いられた構造として、大きく分けて以下の２種類の構造がある。
【０００６】
まず、スタンドの折り曲げ構造において１箇所にヒンジ軸が設けられたシングルヒンジ構造がある。シングルヒンジ構造は１箇所のヒンジ構造によって装置本体の荷重を支える構造にされている。シングルヒンジ構造においては、例えば、図１７及び図１８に示すように、表示装置ａのスタンドｂが装置本体ｃに固定された支え部ｄと支え部ｄにヒンジ軸ｅを支点として回動自在に支持された支持台部ｆとを有している。表示装置ａは据え置き状態において、支持台部ｆが載置面ｘに載置されて装置本体ｃがスタンドｂによって支えられる（図１７参照）。一方、表示装置ａは壁掛け状態において、支持台部ｆがヒンジ軸ｅを支点として装置本体ｃの背面側に回動され、ディスプレイ５が壁面ｙに取り付けられる（図１８参照）。
【０００７】
次に、スタンドの折り曲げ構造において２箇所にヒンジ軸が設けられたダブルヒンジ構造がある（例えば、特許文献１参照）。ダブルヒンジ構造は２箇所のヒンジ構造によって装置本体の荷重を支える構造にされている。ダブルヒンジ構造においては、例えば、図１９及び図２０に示すように表示装置ｇのスタンドｂが、装置本体ｃに第１のヒンジ軸ｅを支点として回動自在に支えられた支え部ｄと、支え部ｄに第２のヒンジ軸ｅを支点として回動自在に支えられた支持台部ｆとを有している。表示装置ｇは据え置き状態において支持台部ｆが載置面ｘに載置されて装置本体ｃがスタンドｂによって支えられる（図１９参照）。一方、表示装置ａは壁掛け状態において支え部ｄが第１のヒンジ軸ｅを支点として回動されると共に支持台部ｆが第２のヒンジ軸ｅを介して装置本体ｃの背面側に回動され、支持台部ｆが壁面ｙに取り付けられる（図２０参照）。
【０００８】
【特許文献１】特開２００６−１５４８４２号公報
【発明の開示】
【発明が解決しようとする課題】
【０００９】
ところが、シングルヒンジ構造にあっては、装置本体ｃに固定された支え部ｄにヒンジ軸ｅを支点として支持台部ｆが回動自在に支持された構成にされているため、表示装置ａが壁掛け状態にされ支持台部ｆが装置本体ｃの背面側に回動された状態においても、支持台部ｆの一部が装置本体ｃから下方へ突出された状態になり（図１９参照）スタンドｂを含めた表示装置ａの全体が大きくなってしまうという問題がある。
【００１０】
一方、ダブルヒンジ構造にあっては、壁掛け状態において支え部ｄと支持台部ｆが何れも回動されてスタンドｂの全体が装置本体ｃの背面側に位置されるため、表示装置ｇの小型化を図ることができるが、ヒンジ軸の数が多いために表示装置ｇの構成が複雑になるという問題がある。
【００１１】
そこで、本技術表示装置は、構成の簡素化及び小型化を図ることを課題とする。
【課題を解決するための手段】
【００１２】
第１に、表示装置は、上記した課題を解決するために、表示面に画像が表示されるディスプレイを有する装置本体と、前記装置本体が支持されるスタンドとを備え、前記スタンドに、前記装置本体の表示面と反対側の面においてスライド自在に支持された被支持部と、ヒンジ軸によって前記被支持部に対して回動可能とされた連結部とが設けられたものである。
【００１３】
従って、表示装置にあっては、連結部が被支持部に対して回動可能とされると共に被支持部が装置本体に対してスライド可能とされる。
【００１４】
第２に、上記した表示装置においては、前記被支持部又は前記連結部が回動範囲において前記連結部又は前記被支持部に対してロックされるロック部が設けられていることが望ましい。
【００１５】
被支持部又は連結部が回動範囲において連結部又は被支持部に対してロックされるロック部が設けられていることにより、装置本体の自重、もしくは外力が付与された際の倒れが防止される。
【００１６】
第３に、上記した表示装置においては、前記被支持部又は前記連結部に複数の凹部が離隔して形成され、前記ロック部が前記連結部又は前記被支持部に取り付けられ前記凹部に係合されてロックされることが望ましい。
【００１７】
被支持部又は連結部に複数の凹部が離隔して形成され、ロック部が連結部又は被支持部に取り付けられ凹部に係合されてロックされることにより、被支持部の連結部に対する回動が規制されてロックされる。
【００１８】
第４に、上記した表示装置においては、前記ロック部として前記連結部又は前記被支持部を挿通されるロックピンが設けられていることが望ましい。
【００１９】
ロック部として連結部又は被支持部を挿通されるロックピンが設けられていることにより、被支持部の連結部に対する回動がロックピンによって規制されてロックされる。
【００２０】
第５に、上記した表示装置においては、前記連結部と前記被支持部の間にフリクションを発生させる摩擦機構が設けられていることが望ましい。
【００２１】
連結部と被支持部の間にフリクションを発生させる摩擦機構が設けられていることにより、フリクションが生じた状態で連結部が被支持部に対して回動される。
【００２２】
第６に、上記した表示装置においては、前記スタンドの前記連結部に壁掛け用の被取付孔が形成されていることが望ましい。
【００２３】
スタンドの連結部に壁掛け用の被取付孔が形成されていることにより、被取付孔によって表示装置を壁掛け状態にすることが可能になる。
【００２４】
第７に、上記した表示装置においては、前記装置本体の前記反対側の面に前記被支持部をスライド自在に支持するレール部材が設けられ、前記レール部材は前記装置本体に前記ディスプレイの厚み方向に直交する方向における一端部から他端部まで設けられていることが望ましい。
【００２５】
装置本体の一端部から他端部まで設けられたレール部材が用いられることにより、装置本体の位置を大きな範囲で調整することが可能になる。
【００２６】
第８に、上記した表示装置においては、前記レール部材が屈曲されていることが望ましい。
【００２７】
レール部材が屈曲されていることにより、スタンドがレール部材の形状に沿ってスライド可能とされる。
【００２８】
第９に、上記した表示装置においては、前記レール部材は、長手方向における一端部と他端部が直交する方向に延びるように設けられていることが望ましい。
【００２９】
レール部材は、長手方向における一端部と他端部が直交する方向に延びるように設けられていることにより、ディスプレイの向きを９０°変換することが可能になる。
【発明の効果】
【００３０】
本技術表示装置は、上記した課題を解決するために、表示面に画像が表示されるディスプレイを有する装置本体と、前記装置本体が支持されるスタンドとを備え、前記スタンドに、前記装置本体の表示面と反対側の面においてスライド自在に支持された被支持部と、ヒンジ軸によって前記被支持部に対して回動可能とされた連結部とが設けられている。
【００３１】
従って、一つのヒンジ軸を有するシングルヒンジ構造によって構成の簡素化が図られた上でスタンドの全体を装置本体の背面側に位置させることが可能であり、構成の簡素化及び小型化を図ることができる。
【００３２】
請求項２に記載した技術にあっては、前記被支持部又は前記連結部が回動範囲において前記連結部又は前記被支持部に対してロックされるロック部が設けられている。
【００３３】
従って、装置本体の破損や傷付きを防止することができると共に装置本体を所定の傾斜角度にロックして使い勝手の向上を図ることができる。
【００３４】
請求項３に記載した技術にあっては、前記被支持部又は前記連結部に複数の凹部が離隔して形成され、前記ロック部が前記連結部又は前記被支持部に取り付けられ前記凹部に係合されてロックされるようにされている。
【００３５】
従って、装置本体を複数の位置でロックすることが可能であり、一層の使い勝手の向上を図ることができる。
【００３６】
請求項４に記載した技術にあっては、前記ロック部として前記連結部又は前記被支持部を挿通されるロックピンが設けられている。
【００３７】
従って、ロック部の構成が簡素であり、機構の簡素化を確保した上で使い勝手の向上を図ることができる。
【００３８】
請求項５に記載した技術にあっては、前記連結部と前記被支持部の間にフリクションを発生させる摩擦機構が設けられている。
【００３９】
従って、装置本体が摩擦力によって任意の傾斜角度で保持され、使い勝手の向上を図ることができる。
【００４０】
請求項６に記載した技術にあっては、前記スタンドの前記連結部に壁掛け用の被取付孔が形成されている。
【００４１】
従って、別に専用の壁掛け部を設ける必要がなく、簡素な構造によって表示装置を壁面に容易に取り付けることができる。
【００４２】
請求項７に記載した技術にあっては、前記装置本体の前記反対側の面に前記被支持部をスライド自在に支持するレール部材が設けられ、前記レール部材は前記装置本体に前記ディスプレイの厚み方向に直交する方向における一端部から他端部まで設けられている。
【００４３】
従って、装置本体の位置を大きな範囲で調整することが可能になり、表示面に表示される画像の視認性の向上及び使い勝手の向上を図ることができる。
【００４４】
請求項８に記載した技術にあっては、前記レール部材が屈曲されている。
【００４５】
従って、レール部材の形状に応じて装置本体のスタンドに対する相対的な向きを任意に設定することができる。
【００４６】
請求項９に記載した技術にあっては、前記レール部材は、長手方向における一端部と他端部が直交する方向に延びるように設けられている。
【００４７】
従って、画像の視認性に関して使い勝手の向上を図ることができる。
【発明を実施するための最良の形態】
【００４８】
以下に、本技術を実施するための最良の形態について添付図面を参照して説明する。
【００４９】
以下に示した最良の形態は、本技術表示装置をテレビジョン受像機に適用したものである。尚、本技術の適用範囲はテレビジョン受像機に限られることはなく、本技術は、例えば、パーソナルコンピューターや表示システム等に用いられるモニター等の表示装置として機能する各種の装置及び機器に広く適用することができる。
【００５０】
以下の説明にあっては、テレビジョン受像機のディスプレイを見た方向で前後上下左右の方向を示すものとする。従って、使用者側が前方となり、その反対側が後方となる。
【００５１】
尚、以下に示す前後上下左右の方向は説明の便宜上のものであり、本技術の実施に関しては、これらの方向に限定されることはない。
【００５２】
［表示装置の構成］
以下に、表示装置の構成について説明する（図１乃至図６参照）。
【００５３】
表示装置１は横長の扁平な略矩形状に形成された装置本体２と装置本体２を支持するスタンド３とから成る（図１及び図２参照）。
【００５４】
装置本体２は前後の厚みの薄い筐体４と筐体４に保持されたディスプレイ５とを有している。
【００５５】
ディスプレイ５は、例えば、液晶ディスプレイであり、前面が表示面５ａとして形成されている。
【００５６】
筐体４の背面における下端部にはレール部材６、６が左右に離隔して取り付けられている（図２参照）。
【００５７】
レール部材６は上下に延び前後方向を向く板状の被取付面部７と被取付面部７の左右両端部に連続して設けられ互いに近づく方向へ突出された支持部８、８とを有している（図３参照）。被取付面部７と支持部８、８の間には上下に延び内方に開口された支持溝６ａ、６ａが形成されている。レール部材６は図示しないストッパーを下端部に有している。
【００５８】
レール部材６、６は被取付面部７、７が筐体４の背面にネジ止め等によって取り付けられる。
【００５９】
スタンド３は机等の載置面に載置される支持台部９と支持台部９に左右に離隔して取り付けられた支え部１０、１０とから成る（図２参照）。支持台部９の背面には壁掛け用の被取付孔９ａ、９ａが左右に離隔して形成されている（図６参照）。
【００６０】
支え部１０は被支持部１１、連結部１２、ヒンジ軸１３及びワッシャー１４、１４、・・・を有している（図４及び図５参照）。
【００６１】
被支持部１１は上下に延び前後方向を向く板状の背板１５と背板１５の左右両端部からそれぞれ後方へ突出された側板１６、１６と側板１６、１６の下端部からそれぞれ後方へ突出されたヒンジ軸取付部１７、１７と背板１５の前面に取り付けられた被支持板１８とを有している。
【００６２】
背板１５は縦長の略矩形状に形成され、背板１５には左右方向における中央部に後方へ突出された補強リブ部１５ａが設けられている。背板１５は補強リブ部１５ａによって剛性が高くされている。
【００６３】
ヒンジ軸取付部１７、１７にはヒンジ軸取付孔１７ａ、１７ａが形成されている。ヒンジ軸取付孔１７ａの前後両側にはワッシャー取付孔１７ｂ、１７ｂが形成されている。一方のヒンジ軸取付部１７の外周部には凹部１７ｃ、１７ｃが周方向に離隔して形成されている。尚、凹部１７ｃの数は二つに限られることはなく任意である。
【００６４】
被支持板１８は縦長の矩形状に形成され、背板１５にねじ止めや溶接等によって取り付けられている。被支持板１８は左右両端部が摺動部１８ａ、１８ａとして設けられ、摺動部１８ａ、１８ａが背板１５から側方へ突出されている。支え部１０は被支持板１８の摺動部１８ａ、１８ａがそれぞれ支持溝６ａ、６ａに挿入されてレール部材６に上下方向へスライド自在に支持される。
【００６５】
連結部１２、１２は結合面部１９、１９が支持台部９に左右に離隔した状態で取り付けられている。連結部１２は略長方形状の結合面部１９と結合面部１９の左右両端部の長手方向における一端部からそれぞれ直交する方向へ突出された側壁部２０、２０とを有している。側壁部２０、２０にはそれぞれ軸挿通孔２０ａ、２０ａが形成されている。軸挿通孔２０ａは非円形状、例えば、小判状に形成されている。軸挿通孔２０ａの両側にはワッシャー結合孔２０ｂ、２０ｂが形成されている。一方の側壁部２０にはピン挿通孔２０ｃが形成されている。
【００６６】
ヒンジ軸１３は円板状の頭部２１と頭部２１の外周部を除く部分から突出された軸部２２とから成り、軸部２２の断面形状が軸挿通孔２０ａと同じ形状である、例えば、小判状に形成されている。軸部２２の先端部には螺溝２２ａが形成されている。螺溝２２ａにはナット２３が螺合される。
【００６７】
ワッシャー１４は円環部１４ａと円環部１４ａの１８０°反対側の位置に設けられた係合突起１４ｂ、１４ｂとから成る。係合突起１４ｂ、１４ｂは円環部１４ａの軸方向において同じ方向へ突出されている。
【００６８】
ワッシャー１４、１４・・・は、例えば、四つ設けられ、二つのワッシャー１４、１４はヒンジ軸取付部１７、１７の外面において係合突起１４ｂ、１４ｂ・・・がそれぞれワッシャー取付孔１７ｂ、１７ｂ・・・に挿入されて係合される。他の二つのワッシャー１４、１４は側壁部２０、２０の内面において係合突起１４ｂ、１４ｂ、・・・がそれぞれワッシャー結合孔２０ｂ、２０ｂ、・・・に挿入されて係合される。
【００６９】
ワッシャー１４、１４、・・・は係合突起１４ｂ、１４ｂ、・・・がワッシャー取付孔１７ｂ、１７ｂ、・・・又はワッシャー結合孔２０ｂ、２０ｂ、・・・に係合されることにより、それぞれ被支持部１１と連結部１２に取り付けられヒンジ軸取付部１７、１７と側壁部２０、２０に対して回転不能とされる。
【００７０】
連結部１２は側壁部２０、２０がそれぞれワッシャー１４、１４を挟んでヒンジ軸取付部１７、１７の外面側に位置され、ヒンジ軸取付部１７、１７に取り付けられたワッシャー１４、１４の円環部１４ａ、１４ａと側壁部２０、２０に取り付けられたワッシャー１４、１４の円環部１４ａ、１４ａとがそれぞれ面接触される。
【００７１】
ヒンジ軸１３は軸部２２が順に一方の側壁部２０の軸挿通孔２０ａ、ワッシャー１４、１４、一方のヒンジ軸取付部１７のヒンジ軸取付孔１７ａ、他方のヒンジ軸取付部１７のヒンジ軸取付孔１７ａ、ワッシャー１４、１４及び他方の側壁部２０の軸挿通孔２０ａを挿通され、螺溝２２ａにナット２３が螺合される。
【００７２】
ヒンジ軸１３の螺溝２２ａにナット２３が螺合されることにより、接触されている二つずつのワッシャー１４、１４とワッシャー１４、１４が互いに押し付けられて一定の摩擦力（フリクション）が生じる。
【００７３】
被支持部１１と連結部１２は互いにヒンジ軸１３を支点として回動可能とされ、被支持部１１と連結部１２はワッシャー１４、１４、・・・間に摩擦力が生じた状態で回動される。従って、ワッシャー１４、１４、・・・は摩擦機構として機能する。
【００７４】
被支持部１１、１１は筐体４に取り付けられたレール部材６、６に支持されているため、被支持部１１、１１が連結部１２、１２に対して回動されるときには、被支持部１１、１１の回動に伴って装置本体２がスタンド３の支持台部９に対して回動される。
【００７５】
一方、連結部１２、１２はスタンド３の支持台部９に取り付けられているため、連結部１２、１２が被支持部１１、１１に対して回動されるときには、連結部１２、１２の回動に伴って支持台部９が装置本体２に対して回動される。
【００７６】
上記したように、ヒンジ軸１３の軸部２２と側壁部２０、２０の軸挿通孔２０ａ、２０ａとは非円形状の同じ形状、例えば、小判状に形成されているため、ヒンジ軸１３は軸挿通孔２０ａ、２０ａに挿入された状態において、連結部１２に対して回転不能とされる。従って、連結部１２が被支持部１１に対して回動されるときにはヒンジ軸１３は連結部１２と一体になって回動（回転）される。
【００７７】
また、ヒンジ軸１３は軸部２２が被支持部１１の円形状のヒンジ軸取付孔１７ａ、１７ａに挿入されているため、被支持部１１が連結部１２に対して回動されるときには被支持部１１がヒンジ軸１３に対して回動されヒンジ軸１３は回転されない。
【００７８】
［表示装置における据え置き状態での動作］
上記のように構成された表示装置１にあっては、スタンド３が机等の載置面１００に載置された据え置き状態において装置本体２がスタンド３の支持台部９に対して回動可能とされ、装置本体２の載置面１００に対する傾斜角度を変更することが可能である（図７及び図８参照）。
【００７９】
装置本体２の支持台部９に対する回動は、例えば、筐体４の上端部を前後方向へ押圧することにより行うことが可能であり、装置本体２が支持台部９に対して回動されるときには、上記したように、ワッシャー１４、１４、・・・間に摩擦力が生じた状態で被支持部１１、１１が連結部１２、１２に対して回動される。
【００８０】
このように表示装置１にあっては、ワッシャー１４、１４、・・・間に摩擦力が生じた状態で回動動作が行われるため、筐体４に対する押圧を解除することにより、装置本体２が摩擦力によって任意の傾斜角度で保持され、使い勝手の向上を図ることができる。
【００８１】
また、装置本体２の回動動作においては、ロック部として機能するロックピン２４を連結部１２の側壁部２０に形成されたピン挿通孔２０ｃに挿入することにより装置本体２を所定の傾斜状態にロックすることができる（図９参照）。
【００８２】
即ち、ピン挿通孔２０ｃに挿入されたロックピン２４は被支持部１１のヒンジ取付部１７に形成された何れかの凹部１７ｃに係合され、ロックピン２４が凹部１７ｃに係合されることにより、被支持部１１の連結部１２に対する回動が規制されてロックされ、装置本体２が所定の傾斜状態にロックされる。
【００８３】
このように被支持部１１を連結部１２に対してロックするロック部を設けることにより、装置本体２の自重による倒れが防止され、装置本体２の破損や傷付きを防止することができると共に装置本体２を所定の傾斜角度にロックして使い勝手の向上を図ることができる。
【００８４】
また、被支持部１１に複数の凹部１７ｃ、１７ｃが形成されることにより、装置本体２を複数の位置でロックすることが可能であり、一層の使い勝手の向上を図ることができる。
【００８５】
さらに、ロック部としてロックピン２４を用いることにより、ロック部の構成が簡素であり、機構の簡素化を確保した上で使い勝手の向上を図ることができる。
【００８６】
尚、ロックはロックピン２４をピン挿通孔２０ｃに挿入し、ロックの解除はロックピン２４をピン挿通孔２０ｃから引き抜くことにより行うことができる。従って、ロック及びその解除動作を容易に行うことができる。
【００８７】
また、上記には、連結部１２にロックピン２４が挿入されるピン挿通孔２０ｃを形成し、被支持部１１にロックピン２４が係合される凹部１７ｃ、１７ｃ、・・・を形成した例を示したが、逆に、被支持部にロックピン２４が挿入されるピン挿通孔を形成し、連結部にロックピン２４が係合される凹部を形成してもよい。
【００８８】
尚、表示装置１においては、以下のように、バネ部材２５によって装置本体２を付勢して自重による倒れを防止することが可能である（図１０参照）。
【００８９】
バネ部材２５は、例えば、捩じりコイルバネであり、コイル部２５ａがヒンジ軸１３に支持され、一方の腕部２５ｂが被支持部１１に押し付けられ、他方の腕部２５ｃが連結部１２に押し付けられている。従って、スタンド３はバネ部材２５によって被支持部１１と連結部１２が互いに離隔する方向へ付勢され、据え置き状態において、被支持部１１が連結部１２に対して前方へ回動される方向へ付勢される。
【００９０】
装置本体２には被支持部１１を介してバネ部材２５の付勢力が付与され、装置本体２の後方側への自重による倒れが防止される。
【００９１】
このようにバネ部材２５によって装置本体２の自重による倒れが防止されるため、部品点数の大幅な増大を来たすことなく、簡素な構成により装置本体２の自重による倒れを防止することができる。
【００９２】
表示装置１にあっては、スタンド３が机等の載置面１００に載置された据え置き状態において、レール部材６、６を被支持部１１、１１に対してスライドさせて装置本体２の高さを調整することが可能である（図１１参照）。
【００９３】
装置本体２の高さの調整はレール部材６、６がスタンド３の支持台部９に接触する位置まで可能とされる。
【００９４】
このように据え置き状態において装置本体２の高さの調整を可能とすることにより、表示面５ａの高さが調整され、使い勝手の向上を図ることができる。
【００９５】
［表示装置における壁掛け状態での動作］
表示装置１を壁掛け状態にする際には、被支持部１１、１１に対して連結部１２、１２を最大の回動範囲まで回動させる（図１２及び１３参照）。連結部１２、１２が最大の回動範囲まで回動されると、連結部１２、１２の結合面部１９、１９がレール部材６、６及び被支持部１１、１１の背板１５、１５と対向する状態とされる。
【００９６】
連結部１２、１２が最大の回動範囲まで回動されたときには、支持台部９の背面が後方を向く状態とされている。このとき壁面２００に取付ピン２０１、２０１（図６参照）を取り付けておくことにより、取付ピン２０１、２０１を支持台部９の被取付孔９ａ、９ａに挿入して表示装置１を壁面２００に取り付けることが可能である（図１２参照）。
【００９７】
このようにスタンド３の支持台部９に被取付孔９ａ、９ａを形成することにより、別に専用の壁掛け部を設ける必要がなく、簡素な構造によって表示装置１を壁面２００に容易に取り付けることができる。
【００９８】
また、表示装置１においては、例えば、壁面２００に図示しない壁掛け用のブラケットが取り付けられる場合に、支持台部９にブラケットに取り付けられる構造を設けておくことにより、支持台部９をブラケットに取り付けて壁掛け状態にすることも可能である。
【００９９】
このような壁掛け状態においても、上記した据え置き状態と同様に、装置本体２をスタンド３の支持台部９に対して回動させることにより、装置本体２の壁面２００に対する傾斜角度を変更することが可能である。
【０１００】
壁掛け状態においてもワッシャー１４、１４、・・・間に摩擦力が生じた状態で回動動作が行われるため、装置本体２が摩擦力によって任意の傾斜角度で保持され、使い勝手の向上を図ることができる。
【０１０１】
また、壁掛け状態においても、ロック部として機能するロックピン２４を連結部１２の側壁部２０に形成されたピン挿通孔２０ｃに挿入することにより装置本体２を所定の傾斜状態にロックすることができる（図１３参照）。
【０１０２】
表示装置１にあっては、壁掛け状態において、被支持部１１、１１をレール部材６、６に対して相対的にスライドさせて装置本体２の高さを調整することが可能である。
【０１０３】
壁掛け状態において、例えば、被支持部１１、１１をレール部材６、６に対して相対的にスライドさせて装置本体２を下方へ移動させることにより、装置本体２の後側に支持台部９の全体が位置され、壁掛け状態においてスタンド３を装置本体２の背面側に収納することができる（図１４参照）。
【０１０４】
スタンド３を装置本体２の背面側に収納することにより、視聴者にスタンド３が視認されず、見栄えの向上を図ることができる。
【０１０５】
［他の例］
上記には、筐体４の下端部にレール部材６、６が取り付けられた例を示したが、例えば、レール部材６、６より長さの長いレール部材６Ａ、６Ａを筐体４に取り付け、レール部材６Ａ、６Ａが筐体４の上端部から下端部まで位置するように構成してもよい（図１５参照）。
【０１０６】
このように筐体４の上端部から下端部まで位置されるレール部材６Ａ、６Ａを用いることにより、装置本体２の位置を大きな範囲で調整することが可能になり、表示面５ａに表示される画像の視認性の向上及び使い勝手の向上を図ることができる。
【０１０７】
また、レール部材６、６、６Ａ、６Ａに代えて、屈曲されたレール部材６Ｂ、６Ｂを筐体４に取り付けることも可能である（図１６参照）。
【０１０８】
レール部材６Ｂは、例えば、上下方向に延びる垂直部６ａと垂直部６ａの上端に連続し円弧状に形成された中間部６ｂと中間部６ｂの一端に連続し左右方向に延びる水平部６ｃとから成る。
【０１０９】
このようなレール部材６Ｂ、６Ｂを用いた場合には、スタンド３の被支持部１１、１１がレール部材６Ｂ、６Ｂの形状に沿ってスライド可能とされ、レール部材６Ｂ、６Ｂの形状に応じて装置本体２のスタンド３に対する相対的な向きを任意に設定することができる。
【０１１０】
特に、レール部材６Ｂ、６Ｂのように垂直部６ａ、６ａと水平部６ｃ、６ｃを設けて互いに直交する方向へ延びる部分を有するように構成することにより、装置本体２のディスプレイ５の向きを縦長状態と横長状態で９０°変換することができる。
【０１１１】
ディスプレイ５の向きを縦長状態と横長状態で９０°変換することにより、画像の大きさや画像の縦横の比を考慮して表示面５ａに表示することが可能であり、画像の視認性に関して使い勝手の向上を図ることができる。
【０１１２】
尚、ディスプレイ５の向きが縦長状態と横長状態で９０°変換される場合には、表示される画像の向きが９０°変換されて、常に、画像の上下左右が変換された状態のディスプレイ５の上下左右の向きに一致されるように制御されることが望ましい。
【０１１３】
［まとめ］
以上に記載した通り、表示装置１にあっては、スタンド３に装置本体２の背面側においてスライド自在に支持された被支持部１１、１１とヒンジ軸１３、１３によって回動可能とされた連結部１２、１２とが設けられている。
【０１１４】
従って、一つのヒンジ軸１３を有するシングルヒンジ構造によって構成の簡素化が図られた上でスタンド３の全体を装置本体２の背面側に位置させることが可能であり、構成の簡素化及び小型化を図ることができる。
【０１１５】
［本技術］
本技術は、以下のような構成にすることもできる。
【０１１６】
（１）表示面に画像が表示されるディスプレイを有する装置本体と、前記装置本体が支持されるスタンドとを備え、前記スタンドに、前記装置本体の表示面と反対側の面においてスライド自在に支持された被支持部と、ヒンジ軸によって前記被支持部に対して回動可能とされた連結部とが設けられた表示装置。
【０１１７】
（２）前記被支持部又は前記連結部が回動範囲において前記連結部又は前記被支持部に対してロックされるロック部が設けられた前記（１）に記載の表示装置。
【０１１８】
（３）前記被支持部又は前記連結部に複数の凹部が離隔して形成され、前記ロック部が前記連結部又は前記被支持部に取り付けられ前記凹部に係合されてロックされるようにした前記（１）又は前記（２）に記載の表示装置。
【０１１９】
（４）前記ロック部として前記連結部又は前記被支持部を挿通されるロックピンが設けられた前記（１）から前記（３）の何れかに記載の表示装置。
【０１２０】
（５）前記連結部と前記被支持部の間にフリクションを発生させる摩擦機構が設けられた前記（１）から前記（４）の何れかに記載の表示装置。
【０１２１】
（６）前記スタンドの前記連結部に壁掛け用の被取付孔が形成された前記（１）から前記（５）の何れかに記載の表示装置。
【０１２２】
（７）前記装置本体の前記反対側の面に前記被支持部をスライド自在に支持するレール部材が設けられ、前記レール部材は前記装置本体に前記ディスプレイの厚み方向に直交する方向における一端部から他端部まで設けられた前記（１）から前記（６）までの何れかに記載の表示装置。
【０１２３】
（８）前記レール部材が屈曲された前記（７）に記載の表示装置。
【０１２４】
（９）前記レール部材は、長手方向における一端部と他端部が直交する方向に延びるように設けられた前記（８）に記載の表示装置。
【図面の簡単な説明】
【０１２５】
【図１】図２乃至図１６と共に本技術表示装置を示すものであり、本図は、表示装置の斜視図である。
【図２】図１とは異なる方向から見た状態で示す表示装置の斜視図である。
【図３】レール部材にスタンドが支持された状態を示す拡大斜視図である。
【図４】被支持部と連結部の拡大斜視図である。
【図５】スタンドの分解斜視図である。
【図６】スタンドの被取付孔を取付ピンと共に示す斜視図である。
【図７】据え置き状態において、装置本体が直立された状態を示す概略側面図である。
【図８】据え置き状態において、装置本体が傾斜された状態を示す概略側面図である。
【図９】被支持部がロックピンによってロックされた状態を示す拡大斜視図である。
【図１０】ヒンジ軸にバネ部材が支持された状態を示す拡大斜視図である。
【図１１】据え置き状態において、装置本体がスライドされる状態を示す概略側面図である。
【図１２】壁掛け状態において、スタンドが装置本体の背面側に収納される前の状態を示す概略側面図である。
【図１３】連結部が最大の回動範囲まで回動された状態を示す拡大斜視図である。
【図１４】壁掛け状態において、スタンドが装置本体の背面側に収納された状態を示す概略側面図である。
【図１５】装置本体の一端部から他端部まで設けられたレール部材の例を示す斜視図である。
【図１６】屈曲された部分を有するレール部材の例を示す斜視図である。
【図１７】図１８乃至図２０と共に従来技術に関する表示装置を示すものであり、本図は、シングルヒンジ構造の表示装置が据え置き状態にされている状態を示す概略側面図である。
【図１８】シングルヒンジ構造の表示装置が壁掛け状態にされている状態を示す概略側面図である。
【図１９】ダブルヒンジ構造の表示装置が据え置き状態にされている状態を示す概略側面図である。
【図２０】ダブルヒンジ構造の表示装置が壁掛け状態にされている状態を示す概略側面図である。
【符号の説明】
【０１２６】
１…表示装置、２…装置本体、３…スタンド、５…ディスプレイ、  ５ａ…表示面、６…レール部材、９ａ…被取付孔、１１…被支持部、１２…連結部、１３…ヒンジ軸、１７ｃ…凹部、２４…ロックピン、６Ａ…レール部材、６Ｂ…レール部材
【図１】
2014035507.tif 000003
【図２】
2014035507.tif 000004
【図３】
2014035507.tif 000005
【図４】
2014035507.tif 000006
【図５】
2014035507.tif 000007
【図６】
2014035507.tif 000008
【図７】
2014035507.tif 000009
【図８】
2014035507.tif 000010
【図９】
2014035507.tif 000011
【図１０】
2014035507.tif 000012
【図１１】
2014035507.tif 000013
【図１２】
2014035507.tif 000014
【図１３】
2014035507.tif 000015
【図１４】
2014035507.tif 000016
【図１５】
2014035507.tif 000017
【図１６】
2014035507.tif 000018
【図１７】
2014035507.tif 000019
【図１８】
2014035507.tif 000020
【図１９】
2014035507.tif 000021
【図２０】
2014035507.tif 000022